(57)【要約】【課題】操作履歴から抽出したデータを使用して再操作できる監視装置を得る。【解決手段】監視対象設備に対する発停処理の操作履歴を蓄積するための処理を行う履歴処理手段５と、操作履歴を記憶する操作履歴記憶部６と、操作履歴記憶部６から再操作する操作履歴を抽出して抽出データを作成する抽出処理手段７と、抽出データを記憶する抽出データ記憶部８と、記憶した抽出データをもとに発停処理手段に対し発停を指示する再操作処理手段９とを有し、再操作を行う場合は、再操作処理手段９の指示により発停処理手段４が設備に対して再操作の制御を行うよう構成した。【選択図】図１
2005078440.tif 000002
【特許請求の範囲】
【請求項１】
入力手段から入力した情報を入力処理手段により処理し、処理したデータをもとに発停処理手段により監視対象の設備に対し発停処理を行って上記設備を制御する監視装置において、上記発停処理の操作履歴を蓄積するための処理を行う履歴処理手段と、上記操作履歴を記憶する操作履歴記憶部と、上記操作履歴記憶部から再操作する操作履歴を抽出して抽出データを作成する抽出処理手段と、上記抽出データを記憶する抽出データ記憶部と、記憶した上記抽出データをもとに上記発停処理手段に対し発停を指示する再操作処理手段とを有し、上記再操作処理手段の指示により上記発停処理手段が設備に対して再操作の制御を行うことを特徴とする監視装置。
【請求項２】
請求項１記載の監視装置において、上記抽出処理手段が作成する上記抽出データは、上記入力手段から指示する選択条件によって検索して取得することを特徴とする監視装置。
【発明の詳細な説明】
【技術分野】
【０００１】
この発明は、工場やビル等における複数の設備に対し監視を行う監視装置に関するものである。
【背景技術】
【０００２】
従来の監視装置は、複数の設備への発停操作を行うとき、各設備に対し個別に発停操作を行うか、あらかじめいくつかの設備をグループ化しておき、このグループに対して発停操作を行っていた。監視装置がその操作内容を記憶しておく場合、操作履歴を記録する具体的な方法としては、例えば、複数のアプリケーションの各々に対する操作内容を監視する監視手段と、操作内容を記録する対象アプリケーション群を特定する手段と、対象アプリケーション群の各々に対する一連の操作内容を操作履歴として記録する記録手段と、記録した操作履歴に基づいて各アプリケーションに対する操作内容を再現する再生手段とを有し、操作内容を再現して利用する操作履歴記録システムが開示されている（特許文献１参照）。
【０００３】
【特許文献１】特開２００１−３５０６５３号公報（第２頁、図１）
【発明の開示】
【発明が解決しようとする課題】
【０００４】
従来の監視装置では、毎日複数の設備に対し発停操作を行うとき、操作者は毎日繰り返し複数の発停操作を行う必要がある。設備をグループ化している場合は、グループ化している設備の中からいくつかの設備を発停操作の対象から除くような操作を行おうとすれば、操作が煩雑になり操作者の負担が増加する。そこで、これらの操作内容を履歴として記憶しておき再利用する場合、上記のような操作履歴の記録システムでは、単に複数のアプリケーション（例えば汎用アプリケーションソフト）の操作を記憶する際の利便性の向上に関する技術であり、設備操作の操作履歴に関するものではないので、設備に対する日常の操作の操作履歴の記憶および再利用には適用できないという問題点があった。
【０００５】
この発明は、上記のような問題点を解消するためになされたもので、操作履歴からデータを取得し、取得した操作履歴のデータによって設備を再操作できる監視装置を得ることを目的とする。
【課題を解決するための手段】
【０００６】
この発明に係わる監視装置は、入力手段から入力した情報を入力処理手段により処理し、処理したデータをもとに発停処理手段により監視対象の設備に対し発停処理を行って設備を制御する監視装置において、発停処理の操作履歴を蓄積するための処理を行う履歴処理手段と、操作履歴を記憶する操作履歴記憶部と、操作履歴記憶部から操作履歴を抽出して抽出データを作成する抽出処理手段と、抽出データを記憶する抽出データ記憶部と、記憶した抽出データをもとに発停処理手段に対し発停を指示する再操作処理手段とを有し、再操作処理手段の指示により発停処理手段が設備に対して再操作の制御を行うように構成したものである。
【発明の効果】
【０００７】
この発明の監視装置によれば、操作履歴記憶部に記憶しておいた操作履歴から選択して得た再操作のための抽出データにより設備に対し再操作の制御ができるので、以前に行った操作と同じ操作を行う場合いちいち入力操作の必要が無く、操作性が向上する。
【発明を実施するための最良の形態】
【０００８】
実施の形態１．
図１はこの発明の実施の形態１による監視装置の構成を示すブロック図であり、図２は図１の操作履歴記憶部６に蓄えられている操作履歴のデータ構造の一例を示す図であり、図３は動作の一例を示すフローチャートである。図１において、監視装置は入力手段１と監視処理部２とからなり、監視処理部２は、入力手段からの情報を処理する入力処理手段３と、処理したデータをもとに監視対象の設備（図示せず）に対し発停処理を行う発停処理手段４と、発停処理の操作履歴を蓄えるための処理を行う履歴処理手段５と、操作履歴を記憶する操作履歴記憶部６と、操作履歴記憶部６から操作履歴を抽出して抽出データを作成する抽出処理手段７と、抽出データを記憶する抽出データ記憶部８と、記憶した抽出データをもとに発停処理手段４に対し発停を指示する再操作処理手段９とを備えている。
【０００９】
操作履歴記憶部６に蓄えられている操作履歴のデータ構造は、例えば図２に示すように、ある設備に対して行った操作に対し、操作日時，操作者名，設備番号，設備名称および操作内容等が記憶されている。
【００１０】
監視装置によって複数の設備を監視制御する場合、操作者は毎日何回も同じような操作を繰り返し実行する。そこで、本発明では、操作履歴を利用して再度行いたい操作を抽出して実行するものである。以下に、操作履歴を利用する場合の動作について、図３のフローチャートを参照しながら説明する。フローチャートの開始時点で、操作履歴記憶部６にはそれ以前に行った操作履歴が蓄積され記憶されているものとする。
【００１１】
まず、操作者は、以前実行した操作のうち、どの設備に対するどのような操作を再び実行するかを決めて、操作履歴記憶部６から呼び出すための条件である操作履歴抽出条件を入力手段１に入力する（Ｓ１）。次いで、抽出処理手段７が、操作履歴抽出条件に合ったデータを操作履歴記憶部６から抽出し（Ｓ２）、抽出したデータを図示しないディスプレイ上に一覧表示する（Ｓ３）。
【００１２】
次に、各設備に対して更に具体的な再操作の内容を決定するため、操作者が選択条件を設定し、この選択条件にあった再操作データを上記一覧表示から選択抽出する（Ｓ４）。選択条件の設定は、例えば、図２に示すようなデータから、操作日を選択したり、操作者を選択したり、これらを組み合わせる等いろいろな条件で設定することができる。再操作するデータを全て選択するまで実行し（Ｓ５）、抽出処理手段７によって検索し抽出した再操作のための抽出データは抽出データ記憶部８に記憶される。全て選択し終えれば選択した抽出データをもとに、再操作処理手段９が発停処理手段４に指示を出し再操作の作業に移る（Ｓ６）。ここで再操作が必要ないときは、処理を完了する。
【００１３】
発停処理手段４は、選択した再操作のための抽出データにより操作する設備に対し発停処理を実施する（Ｓ７）。履歴処理手段５は、発停処理手段４が実行する発停処理の操作を監視し、その操作履歴を操作履歴記憶部６に記憶して蓄積する（Ｓ８）。選択した抽出データ全てについての処理が完了するまで操作を継続し（Ｓ９）、完了すれば処理を終了する。
【００１４】
以上のように、本実施の形態の発明によれば、操作履歴記憶部に記憶しておいた操作履歴から選択して得た再操作のための抽出データにより設備に対し再操作の制御ができるので、以前に行った操作と同じ操作を行う場合いちいち細かい入力作業の必要が無く、操作性が向上する。また、操作履歴から選択条件を設定し条件にあったデータを選択できるため、操作対象を柔軟に選択できる。
【００１５】
なお、上記の説明では、ステップ４において、抽出したデータの一覧から、更に具体的に再操作の内容を決定するための選択条件を設定して再操作する個々のデータを選択したが、日常の定常的な操作であれば一覧表から全てのデータを一括選択しても良い。
【産業上の利用可能性】
【００１６】
この監視装置は、例えば、ビルの状態監視，侵入監視，通行制御等を行うセキュリティシステムの監視装置に適用できる。
【図面の簡単な説明】
【００１７】
【図１】この発明の実施の形態１における監視装置の構成を示すブロック図である。
【図２】図１の操作履歴記憶部に蓄えられている操作履歴のデータ構造を示す図である。
【図３】この発明の実施の形態１における監視装置の動作を示すフローチャートである。
【符号の説明】
【００１８】
１  入力手段                            ２  監視処理部
３  入力処理手段                        ４  発停処理手段
５  履歴処理手段                        ６  操作履歴記憶部
７  抽出処理手段                        ８  抽出データ記憶部
９  再操作処理手段。
【図１】
2005078440.tif 000003
【図２】
2005078440.tif 000004
【図３】
2005078440.tif 000005